(57)【特許請求の範囲】
【請求項１】
容器を構成する一方の容器構成部材に環状に形成された一方のシール面と、
前記容器を構成する他方の容器構成部材に環状に形成されて前記一方のシール面に重なる他方のシール面と、
前記一方のシール面と前記他方のシール面の少なくとも片方に形成された同心円状且つ複数のＯリング溝と、
複数の前記Ｏリング溝に嵌入される複数のＯリングと、を備え、
前記容器の内部圧力による応力が加わる前記容器の内部側に位置する前記Ｏリング溝における前記Ｏリングの充填率よりも、前記容器の外部側に位置する前記Ｏリング溝における前記Ｏリングの充填率の方が大きいことを特徴とする密閉容器のシール構造。
【請求項２】
前記容器の内部側に位置する前記Ｏリング溝における前記Ｏリングの充填率を目標範囲７０〜７５％、最大許容値９０％とし、
前記容器の外部側に位置する前記Ｏリング溝における前記Ｏリングの充填率を、目標範囲８０〜８５％、最大許容値９８％とした請求項１に記載の密閉容器のシール構造。
【請求項３】
前記容器の内部側に位置する前記Ｏリング溝の断面と、前記容器の外部側に位置する前記Ｏリング溝の断面とを同じ形状寸法とし、
前記容器の外部側に位置する前記Ｏリングの線径を、前記容器の内部側に位置する前記Ｏリングの線径よりも太くすることによって外部側の前記Ｏリングの充填率を内部側の前記Ｏリングの充填率よりも大きくした請求項１または２に記載の密閉容器のシール構造。
【請求項４】
前記容器の内部側に位置する前記Ｏリングの線径と、前記容器の外部側に位置する前記Ｏリングの線径とを同じにし、
前記容器の外部側に位置する前記Ｏリング溝の内容積を、前記容器の内部側に位置する前記Ｏリング溝の内容積よりも小さくすることによって外部側の前記Ｏリングの充填率を内部側の前記Ｏリングの充填率よりも大きくした請求項１または２に記載の密閉容器のシール構造。
【請求項５】
請求項１から４のいずれかに記載の密閉容器のシール構造を備えた車両用冷媒圧縮機。
【発明の詳細な説明】
【技術分野】
【０００１】
本発明は、車両用冷媒圧縮機のハウジングシール面や、密封容器のフランジシール面等に複数本のＯリングを介装して液密的にシールするようにした密閉容器のシール構造、これを備えた冷媒圧縮機に関するものである。
【背景技術】
【０００２】
特許文献１には、車両用冷媒圧縮機のハウジングシール面において、内外二重にＯリングを設けることにより、該シール面の間に水分や塩分等の腐食成分が浸入することを抑制し、該シール面における腐食の発生を防止したシール構造が開示されている。
【０００３】
また、特許文献２には、電力機器を密封する密封容器のフランジシール面において、Ｏリングと環状パッキン材とを内外二重に設け、外周側の環状パッキン材によって雨水等の進入を防止し、内周側のＯリングによって気密を保つようにしたシール構造が開示されている。
【０００４】
一般に、Ｏリングを用いてハウジングシール面やフランジシール面等をシールする場合には、シール面に形成されたＯリング溝の内部におけるＯリングの充填率、即ちＯリング溝の内容積（断面積）に対するＯリングの体積（断面積）の比率は、その設定基準範囲の中央値を７５％程度とし、最大でも９０％以下とすることが推奨されている。
【先行技術文献】
【特許文献】
【０００５】
【特許文献１】特開平９−４２１５６号公報
【特許文献２】実開平２−９３７３号公報
【発明の概要】
【発明が解決しようとする課題】
【０００６】
車両用冷媒圧縮機においては、雨水や、道路に散布された融雪剤が溶解した塩水等の腐食成分がハウジングにかかり、ハウジングシール面の奥に浸透しようとするため、シール面に内外二重のＯリングを設置することは効果的である。
しかしながら、現状では内周側および外周側のＯリングの充填率中央値が上記のように７５％程度であるため、腐食成分が外周側のＯリングを浸透通過してしまう可能性があり、二重のＯリングを設けたことによるシール効果が十分に発揮されていなかった。
【０００７】
特許文献２のシール構造のように、外周側に、Ｏリングに代えて環状パッキン材を使用すれば、Ｏリングよりも優れたシール性を得ることができる。
ところが、車両用冷媒圧縮機の場合は、ハウジングと、その内部に収容されるスクロール圧縮機構との間の隙間公差が非常にシビアであるため、組立ボルトの締結トルクによってシール面隙間が変化する環状パッキン材は使用に適さない。
【０００８】
一方、Ｏリングを使用すれば、ハウジングのシール面同士が直接触れ合う、所謂メタルタッチとなり、組立ボルトの締結トルクによってシール面隙間の大きさが左右されないため、ハウジングとスクロール圧縮機構との間の隙間にもバラつきが無くなり、車両用冷媒圧縮機の品質を安定させることができる。
【０００９】
また、Ｏリングの方が環状パッキン材よりも安価であり、その組み付けも容易であることから、製造コストの面でもメリットが大きい。このため、車両用冷媒圧縮機のハウジングシール面におけるシール部材としてＯリングの使用が継承されている。
【００１０】
本発明は、このような事情に鑑みてなされたものであり、Ｏリングを用いた簡素で安価な構造により、良好なシール性を得ることができる密閉容器のシール構造、これを備えた車両用冷媒圧縮機を提供することを目的とする。
【課題を解決するための手段】
【００１１】
上記課題を解決するために、本発明は、以下の手段を採用する。
即ち、本発明に係る密閉容器のシール構造は、容器を構成する一方の容器構成部材に環状に形成された一方のシール面と、前記容器を構成する他方の容器構成部材に環状に形成されて前記一方のシール面に重なる他方のシール面と、前記一方のシール面と前記他方のシール面の少なくとも片方に形成された同心円状且つ複数のＯリング溝と、複数の前記Ｏリング溝に嵌入される複数のＯリングと、を備え、前記容器の内部圧力による応力が加わる前記容器の内部側に位置する前記Ｏリング溝における前記Ｏリングの充填率よりも、前記容器の外部側に位置する前記Ｏリング溝における前記Ｏリングの充填率の方が大きいことを特徴とする。
【００１２】
上記構成のシール構造によれば、外部側のＯリングの充填率（圧縮率）が、内部側のＯリングの充填率よりも大きくなるため、外部側のＯリングのシール性が高くなる。これにより、従来では長期の間に浸透を許していた外部からの腐食成分を、外部側のＯリングによって効果的に阻止することができる。
【００１３】
このシール構造によれば、部品種類の変更や、構造の変更等を必要とせず、従来と同じくＯリングおよびＯリング溝を用いた簡素で安価な構造により、良好なシール性を得ることができる。
【００１４】
上記のシール構造においては、前記容器の内部側に位置する前記Ｏリング溝における前記Ｏリングの充填率を目標範囲７０〜７５％、最大許容値９０％とし、前記容器の外部側に位置する前記Ｏリング溝における前記Ｏリングの充填率を、目標範囲８０〜８５％、最大許容値９８％とするのがよい。
【００１５】
こうすれば、内部側のＯリングの充填率が従前通りになり、外部側のＯリングの充填率が内部側のＯリングよりも大きくなる。例えば、車両用冷媒圧縮機のハウジングや、高圧容器等のように、容器の内部が高圧になるものにおいては、内部側のＯリングには、Ｏリング溝への充填に伴う圧縮に加え、容器の内部圧力による応力も加わる。このため、内部側のＯリングの充填率を従来よりも高くしてしまうと、その耐久性が損なわれる虞がある。
【００１６】
したがって、容器の内部圧力が直接加わらない外部側のＯリングの充填率を内部側のＯリングの充填率よりも高めることにより、外部側のＯリングおよび内部側のＯリングの耐久性を損なうことなくシール性を向上させることができる。
【００１７】
上記のシール構造においては、前記容器の内部側に位置する前記Ｏリング溝の断面と、前記容器の外部側に位置する前記Ｏリング溝の断面とを同じ形状寸法とし、前記容器の外部側に位置する前記Ｏリングの線径を、前記容器の内部側に位置する前記Ｏリングの線径よりも太くすることによって外部側の前記Ｏリングの充填率を内部側の前記Ｏリングの充填率よりも大きくしてもよい。
【００１８】
上記構成によれば、容器側のＯリング溝に変更を施すことなく、外部側のＯリングの線径を内部側のＯリングの線径よりも太くする、つまり外部側のＯリングを変更するだけで、外部側のＯリングの充填率を大きくすることができる。このため、非常に簡素かつ安価な構成により、良好なシール性を得ることができる。
【００１９】
上記のシール構造においては、前記容器の内部側に位置する前記Ｏリングの線径と、前記容器の外部側に位置する前記Ｏリングの線径とを同じにし、前記容器の外部側に位置する前記Ｏリング溝の内容積を、前記容器の内部側に位置する前記Ｏリング溝の内容積よりも小さくすることによって外部側の前記Ｏリングの充填率を内部側の前記Ｏリングの充填率よりも大きくしてもよい。
【００２０】
上記構成によれば、内外のＯリングを変更することなく、外部側のＯリング溝の内容積を、内部側のＯリング溝の内容積よりも小さくすることにより、外部側のＯリングの充填率を大きくすることができる。Ｏリング溝の形状変更は、Ｏリング溝を形成する切削加工機の設定を変更することにより容易に実現できる。このため、非常に簡素かつ安価な構成により、良好なシール性を得ることができる。
【００２１】
また、本発明に係る車両用冷媒圧縮機は、上記のずれかの密閉容器のシール構造を備えている。
このため、従来と同じくＯリングを用いた簡素で安価な構造により、従来では長期の間に浸透を許していた外部からの腐食成分を、外部側のＯリングによって効果的に阻止することができる。
【発明の効果】
【００２２】
以上のように、本発明に係る密閉容器のシール構造、これを備えた車両用冷媒圧縮機によれば、Ｏリングを用いた簡素で安価な構造により、良好なシール性を得ることができる。
【図面の簡単な説明】
【００２３】
【図１】本発明の実施形態に係るシール構造を備えた車両用冷媒圧縮機の一例を示す縦断面図である。
【図２】図１のＩＩ部を拡大してＯリングの第１配置例を示す縦断面図である。
【図３】Ｏリングの第２配置例を示す縦断面図である。
【図４】Ｏリングの第３配置例を示す縦断面図である。
【図５】Ｏリングの第４配置例を示す縦断面図である。
【図６】本発明に係るシール構造の第１実施形態を示す縦断面図であり、（Ａ）は締結前、（Ｂ）は締結後を示す。
【図７】本発明に係るシール構造の第２実施形態を示す縦断面図であり、（Ａ）は締結前、（Ｂ）は締結後を示す。
【発明を実施するための形態】
【００２４】
以下に、本発明の実施形態について図面を参照しながら説明する。
【００２５】
図１は、本発明に係る車両用冷媒圧縮機の一例を示す縦断面図である。この車両用冷媒圧縮機１は、例えば自動車の空調装置に組み込まれて図示しないエンジンの動力により駆動され、冷媒ガスを圧縮して空調装置の冷媒回路に供給するものである。
【００２６】
車両用冷媒圧縮機１は、フロントハウジング２Ａ（一方の容器構成部材）にリアハウジング２Ｂ（他方の容器構成部材）が複数のボルト３によって締結された構成のハウジング２（容器）を備えており、このハウジング２の内部にスクロール圧縮機構５が収容されている。
【００２７】
スクロール圧縮機構５は、公知のように、ハウジング２（２Ｂ）にボルト７等で固定された固定スクロール８と、この固定スクロール８に対向して冷媒ガスを圧縮する圧縮室９を形成する旋回スクロール１０と、旋回スクロール１０のスラスト方向の荷重を支持するスラスト板１２と、旋回スクロール１０を駆動する主軸１４とを有した構成である。主軸１４は、ベアリング１５，１６によってフロントハウジング２Ａ側に軸支され、その先端部が外部に突出し、ここに図示しない駆動プーリーが取り付けられる。
【００２８】
固定スクロール８と旋回スクロール１０は、それぞれ円板状の端板８ａ，１０ａの一面側に渦巻状のラップ８ｂ，１０ｂが一体に形成されている。各ラップ８ｂ，１０ｂは、その先端部が対向する端板８ａ，１０ａに対して滑らかに摺動可能に当接し、端板８ａ，１０ａとラップ８ｂ，１０ｂとに囲まれて一対の圧縮室９が形成される。
【００２９】
主軸１４に設けられた偏心ピン１４ａがブッシュ２１とベアリング２２を介して旋回スクロール１０のボス１０ｃ内周に嵌合されており、主軸１４が回転すると旋回スクロール１０が図示しない自転防止機構によって自転を防止されながら旋回する。このため、固定スクロール８と旋回スクロール１０のラップ８ｂ，１０ｂ間に形成された一対の圧縮室９が外周側から内周側に移動しつつその容積が減少し、フロントハウジング２Ａ内の低圧室２５に設けられた図示しない吸入口から吸入された冷媒ガスが圧縮室９内に吸入されて圧縮され、この高圧に圧縮された冷媒ガスが、吐出弁２７と高圧室２８とを経てリアハウジング２Ｂに設けられた図示しない吐出口から吐出される。
【００３０】
冷媒ガスの圧縮時には、圧縮された冷媒ガスの反力が、固定スクロール８の端板８ａと旋回スクロール１０の端板１０ａとに加わるため、固定されている固定スクロール８に対して可動式の旋回スクロール１０が軸方向に離れる方向（スラスト方向）に押圧される。この旋回スクロール１０のスラスト荷重は、スラスト板１２によって支持される。
【００３１】
フロントハウジング２Ａとリアハウジング２Ｂとの間には内外２重のＯリング３１，３２が介装されてハウジング２内部の気密性が保たれている。図２にＯリング３１，３２の第１配置例を拡大して示すように、フロントハウジング２Ａには環状のシール面２ａ（一方のシール面）が形成され、リアハウジング２Ｂにも環状のシール面２ｂ（他方のシール面）が形成されている。これらのシール面２ａ，２ｂは、ハウジング２の長手軸方向に直交する平面状に形成されており、互いに密着（メタルタッチ）している。ここに環状パッキン材（ガスケット）を介装するのはハウジング２とスクロール圧縮機構５（８，１０）との間の軸方向隙間がボルト３の締付トルクにより変化してしまうため好ましくない。
【００３２】
例えば、フロントハウジング２Ａ側のシール面２ａには、内外２つのＯリング溝３３，３４が同心円状に形成されており、これらのＯリング溝３３，３４に、それぞれハウジング２の内部側に位置するＯリング３１と、ハウジング２の外部側に位置するＯリング３２とが嵌入されている。ここで言う「内部側」とは、ハウジング２の内部に近い方であり、「外部側」とは、ハウジング２の外部に近い方である。
【００３３】
これらのＯリング溝３３，３４は、リアハウジング２Ｂ側のシール面２ｂに形成してもよい。また、Ｏリング溝３３，３４およびＯリング３１，３２の配置レイアウトは、図２に示す第１配置例に限らず、例えば図３〜図５に示す第２〜第４配置例およびその他の配置例を採用してもよい。Ｏリング３１，３２の材質としては、耐油性、耐薬品性に優れたＥＰＤＭ（エチレンプロピレンゴム）、ＨＮＢＲ（水素化ニトリルゴム）等を例示することができる。
【００３４】
図３に示すＯリング３１，３２の第２配置例では、フロントハウジング２Ａのシール面２ａと、リアハウジング２Ｂのシール面２ｂとが、ハウジング２の長手軸を中心とする円筒面状に形成されており、シール面２ａの内側にシール面２ｂが密に挿入されるようになっている。ここではＯリング溝３３，３４がシール面２ｂ側に外周Ｏリング溝として形成されているが、シール面２ａ側に内周Ｏリング溝として形成してもよい。この第２配置例ではＯリング３１，３２の直径が同一となる。
【００３５】
図４に示すＯリング３１，３２の第３配置例では、図２と同様に、シール面２ａ，２ｂがハウジング２の長手軸方向に直交する平面状に形成されており、例えばシール面２ｂに内部側のＯリング溝３３が形成され、シール面２ａに外部側のＯリング溝３４が形成され、それぞれにＯリング３１，３２が嵌入されている。
【００３６】
図５に示すＯリング３１，３２の第４配置例では、図３と同様に、フロントハウジング２Ａのシール面２ａと、リアハウジング２Ｂのシール面２ｂとが、ハウジング２の長手軸を中心とする円筒面状に形成されており、例えばシール面２ｂに内部側のＯリング溝３３が形成され、シール面２ａに外部側のＯリング溝（段部）３４が形成され、それぞれにＯリング３１，３２が嵌入されている。
【００３７】
図２〜図５に示す第１〜第４のいずれのＯリング配置例においても、ハウジング２の内部側に位置するＯリング溝３３におけるＯリング３１の充填率よりも、ハウジング２の外部側に位置するＯリング溝３４におけるＯリング３２の充填率の方が大きくなるように設定されている。充填率は、Ｏリング溝３３，３４の内容積（断面積）に対するＯリング３１，３２の体積（断面積）の比率である。
【００３８】
［第１実施形態］
図６（Ａ），（Ｂ）は、本発明に係るシール構造の第１実施形態を示す縦断面図であり、（Ａ）は図１に示すボルト３の締結前、（Ｂ）はボルト３の締結後を示している。
図６（Ａ）に示すように、内部側のＯリング溝３３の断面と、外部側のＯリング溝３４の断面は同じ形状寸法に形成されている。つまり、Ｏリング溝３３の深さＨおよび幅Ｗと、Ｏリング溝３４の深さＨおよび幅Ｗは同じ寸法となっている。したがって、Ｏリング溝３３，３４の内容積は同一である。
一方、Ｏリング３１，３２の線径は、内部側のＯリング３１の線径Ｄ１よりも、外部側のＯリング３２の線径Ｄ２の方が太くされている。
【００３９】
このため、図１に示すボルト３が締結されて図６（Ｂ）に示すようにフロントハウジング２Ａ（シール面２ａ）とリアハウジング２Ｂ（シール面２ｂ）とが密着すると、外部側のＯリング３２の充填率が内部側のＯリング３１の充填率よりも大きくなる。
【００４０】
具体的なＯリング溝３３，３４の寸法例として、深さ寸法Ｈ＝２．４ｍｍ、幅寸法Ｗ＝３．０ｍｍを例示することができる。また、Ｏリング３１の線径Ｄ１＝２．６ｍｍ、Ｏリング３２の線径Ｄ２＝２．９ｍｍを例示することができる。上記の各寸法とした場合、内部側のＯリング３１の充填率は７４％程度となり、外部側のＯリング３２の充填率は９２％程度となる。
【００４１】
また、例えば内部側のＯリング３１の線径Ｄ１を２．７ｍｍとした場合の充填率は８０％程度となり、外部側のＯリング３２の線径Ｄ１を３．０ｍｍとした場合の充填率は９８％程度となる。これらの充填率は、Ｏリング３１，３２の材質や、Ｏリング溝３３，３４のＨ，Ｗの寸法比率によって多少変化する。
【００４２】
以上のような構成のシール構造によれば、外部側のＯリング３２の充填率（圧縮率）が、内部側のＯリング３１よりも大きくなるため、外部側のＯリング３２のシール性が内部側のＯリング３１のシール性よりも高くなる。これにより、従来では長期の間に浸透を許していた外部からの腐食成分を、外部側のＯリング３２によって効果的に阻止することができる。
【００４３】
しかも、従来から用いられてきたＯリング溝とＯリングとの組み合わせによるシール構造であるため、部品種類の変更や、構造の変更等を必要とせず、簡素で安価な構造により、良好なシール性を発揮することができる。
【００４４】
内部側のＯリング３１の充填率を目標範囲７０〜７５％、最大許容値９０％に設定し、外部側のＯリング３２の充填率を目標範囲８０〜８５％、最大許容値９８％に設定することにより、内部側のＯリング３１の充填率は従前通りとなり、外部側のＯリング３２の充填率は内部側のＯリング３１よりも大きくなる。
【００４５】
車両用冷媒圧縮機１のハウジング２のように内部が高圧になる密閉容器においては、内部側のＯリング３１には、Ｏリング溝３３への充填に伴う圧縮に加え、ハウジング２の内部冷媒圧力による応力も加わる。このため、内部側のＯリング３１の充填率を従来よりも高くしてしまうと、内部側のＯリング３１の耐久性が損なわれる虞がある。
【００４６】
したがって、ハウジング２の内部冷媒圧力が直接加わらない外部側のＯリング３２の充填率を内部側のＯリング３１の充填率よりも高めることにより、外部側のＯリング３２および内部側のＯリング３１の耐久性を損なうことなくシール性を向上させることができる。
【００４７】
また、この第１実施形態の構成によれば、図６に示すように、内部側と外部側のＯリング溝３３，３４を同じ断面形状寸法とし、外部側のＯリング３２の線径Ｄ２を、内部側のＯリング３１の線径Ｄ１よりも太くして外部側のＯリング３２の充填率を大きくすることができる。このように、Ｏリング溝３３，３４に変更を施すことなく、外部側のＯリング３２の線径Ｄ２のみを変更するだけで、外部側のＯリング３２の充填率を大きくすることができ、非常に簡素かつ安価な構成によって良好なシール性を得ることができる。
【００４８】
［第２実施形態］
図７（Ａ），（Ｂ）は、本発明に係るシール構造の第２実施形態を示す縦断面図であり、（Ａ）は図１に示すボルト３の締結前、（Ｂ）はボルト３の締結後を示している。
ここでは、図７（Ａ）に示すように、内部側のＯリング３１の線径Ｄと外部側のＯリング３２の線径Ｄは同じである。一方、外部側のＯリング溝３４の内容積は、内部側のＯリング溝３３の内容積よりも小さくされており、これによって外部側のＯリング３２の充填率が内部側のＯリング３１の充填率よりも相対的に大きくされている。
【００４９】
具体的には、内外のＯリング３１，３２の線径Ｄは２．６ｍｍを例示することができる。また、Ｏリング溝３３の深さ寸法Ｈ１＝２．４ｍｍ、幅寸法Ｗ１＝３．０ｍｍ、Ｏリング溝３４の深さ寸法Ｈ２＝２．２ｍｍ、幅寸法Ｗ２＝２．６ｍｍを例示することができる。上記の各寸法とした場合、内部側のＯリング３１の充填率は７４％程度となり、外部側のＯリング３２の充填率は９３％程度となる。これらの充填率は、Ｏリング３１，３２の材質や、Ｏリング溝３３，３４のＨ，Ｗの寸法比率によって多少変化する。
【００５０】
この第２実施形態の構成によれば、内外のＯリング３１，３２を変更することなく、外部側のＯリング溝３４の内容積を、内部側のＯリング溝３３の内容積よりも小さくすることにより、外部側のＯリング３１の充填率を内部側のＯリング３１の充填率よりも相対的に大きくすることができる。Ｏリング溝３３，３４の形状変更は、切削加工機の設定を変更することにより容易に実現できる。このため、非常に簡素かつ安価な構成により、良好なシール性を得ることができる。
【００５１】
この第２実施形態の構成と、図３に示すＯリング３１，３２の第２配置例とを組み合わせることにより、内外のＯリング３１，３２は線径も直径も同じ同一部品となる。このため、Ｏリングの種類を減らしてコストダウンに貢献するとともに、内外のＯリング３１，３２の組み間違いを防止することができる。
【００５２】
以上に説明したように、上記実施形態に係るハウジング２のシール構造およびこれを備えた車両用冷媒圧縮機１によれば、Ｏリング３１，３２を用いた簡素で安価な構造により良好なシール性を得て、従来では長期の間に浸透を許していた外部からの腐食成分を、外部側のＯリング３２によって効果的に阻止し、車両用冷媒圧縮機１の耐久性を飛躍的に高めることができる。
【００５３】
なお、本発明は上記実施形態の構成のみに限定されるものではなく、適宜変更や改良を加えることができ、このように変更や改良を加えた実施形態も本発明の権利範囲に含まれるものとする。
【００５４】
例えば、上記実施形態では、車両用冷媒圧縮機１のハウジング２を構成するフロントハウジング２Ａとリアハウジング２Ｂとの間のシール面２ａ，２ｂにおけるＯリング３１，３２およびＯリング溝３３，３４の構成に本発明を適用した例について説明したが、他の種の密閉容器にも本発明を適用することができる。
【００５５】
また、Ｏリング３１，３２の本数や位置を変更したり、Ｏリング３１とＯリング３２の材質や硬度を異ならせてもよい。Ｏリングの硬度を異ならせる場合は、固くて圧縮されにくい方の材質を外側のＯリング３２に適用することが考えられる。これにより、外側のＯリング３２がＯリング溝３４およびフロントハウジング２Ｂに圧接される圧力を内側のＯリング３１よりも高くしてシール性をより向上させることができる。
【００５６】
また、Ｏリング３１とＯリング３２の材質を異ならせる場合は、外側のＯリング３２の材質をＨＮＢＲ、内側のＯリング３１の材質をＥＰＤＭとすることが考えられる。外側の材質をＨＮＢＲとすることで圧縮機外方にエンジンオイル等の鉱油が垂れた場合でもゴムの健全性を確保できる。また内側の材質をＥＰＤＭとすることで、極低温での冷媒シール性をＨＮＢＲよりも良好にすることができる。
【００５７】
さらに、Ｏリング溝３３，３４の断面形状は、上記実施形態で適用したチャンネル溝状に限らず、Ｖ溝、Ｕ溝等、他の断面形状の溝であってもよい。Ｏリング３１，３２の断面形状も丸型に限らず、角型等に変更することができる。
【符号の説明】
【００５８】
１  車両用冷媒圧縮機
２  ハウジング（容器）
２Ａ  フロントハウジング（一方の容器構成部材）
２Ｂ  リアハウジング（他方の容器構成部材）
２ａ  シール面（一方のシール面）
２ｂ  シール面（他方のシール面）
３１  内部側のＯリング
３２  外部側のＯリング
３３  内部側のＯリング溝
３４  外部側のＯリング溝
【図１】
0006625388.tif 000002
【図２】
0006625388.tif 000003
【図３】
0006625388.tif 000004
【図４】
0006625388.tif 000005
【図５】
0006625388.tif 000006
【図６】
0006625388.tif 000007
【図７】
0006625388.tif 000008